(57)【要約】【課題】屈むことが困難なお年寄りや足腰の不自由な方が使用中の杖を倒してしまった場合、該杖を屈むことなく安全で容易かつ確実に手元に戻す杖起こし補助具および杖を提供する。【解決手段】杖のグリップ近傍に、撓み性のある連結部材を介して取り付けた吸着板に、可変長の起こし具を引き延ばし、先端に有した吸着部材を近づけて該吸着板を吸着し、該引き起こし具を引き寄せることにより、杖先端の石突を支点に倒れた杖を引き起こして手元に戻す。【選択図】  図１
2018175527.tif 000002
【特許請求の範囲】
【請求項１】
杖本体に取り付けた取り付け具、表面および裏面に磁性体または永久磁石を有する吸着板、該吸着板を該取り付け具に連結する撓み性のある連結部材とからなる杖起こし部材と、立方体で前記吸着板を吸着する吸着面が長軸方向と平行である吸着部を先端に有した可変長の起こし具とからなることを特徴とした杖起こし補助具。
【請求項２】
起こし具の吸着部の先端に突起部を設けたことを特徴とする請求項1記載の杖起こし補助具。
【請求項３】
起こし具の吸着部が、吸着面と直角方向の厚みが1ｍｍ〜1.5ｍｍの板状であることを特徴とした請求項１記載の杖起こし補助具。
【請求項４】
請求項1または請求項2あるいは請求項３の杖起こし補助具と一体で構成されたことを特徴とした杖。
【発明の詳細な説明】
【技術分野】
【０００１】
本発明は、杖が手から外れて倒れた場合、該杖を安全で容易かつ確実に手元に戻す杖起こし補助具および杖に関する。
【背景技術】
【０００２】
従来、杖が手元から外れて倒れた場合に手元に戻すには、屈みこんで拾うか他の人に拾ってもらう手段が一般的であるが足や腰の不自由な人にとっては近くに人がいない場合、大変な苦労を伴う。
【０００３】
一般的には使用中の杖が手元から外れないように、多くの杖は腕を通して使用するストラップが具備されているが、同ストラップに腕を通したり抜いたりする動作が割と面倒なため大部分の使用者はストラップに腕を通していないのが現状であり、そのためちょっとした不注意で同杖を倒してしまう場合が多く、その場合屈むことが困難な人が安全で容易にかつ確実に手元に戻す補助具が必要とされる。
【０００４】
また下記文献１に、杖のグリップ周辺にリングを設け、該杖が倒れた場合該リングを足先で抑えながら回転させて杖を起こす方式の「立ち上がるステッキ（杖）」が公表されているが、特にお年寄りや足腰の不自由な方には足を使用した操作は困難であり、杖が立ち上がる時の危険性も推察される。
【先行技術文献】
【特許文献】
【０００５】
【特許文献１】実用新案登録第３１６０５２６号
【発明の概要】
【発明が解決しようとする課題】
【０００６】
倒れた杖を、屈まなくても安全で容易な操作で確実に手元に戻す杖起こし補助具および杖の提供。
【課題を解決するための手段】
【０００７】
請求項1の発明は、杖本体のグリップ近傍に取り付けた取り付け具と、表面および裏面に磁性体または永久磁石を有する吸着板、および該取り付け具と該吸着板とを連結する撓み性のある連結部材とからなる杖起こし部材を取り付けた杖が倒れた時、可変長の起こし具を引き延ばして先端の吸着部を前記吸着板の近傍に近づけ、該吸着板を、その姿勢や向きに拘わらず引き付けて吸着面に吸着し、その後該杖起こし具を引き寄せることにより杖先端の石突を支点にして前記倒れた杖を引き起こし手元に戻すことを特徴としたものである。
【０００８】
起こし具先端の吸着部は永久磁石または磁性体で形成され、その吸着面は該起こし具の長軸と平行であり倒れた杖を起こすため杖を起こし具の長軸方向に引き寄せると、吸着板は撓み性のある連結部材で杖と結合されているため、起こし具の長軸方向と、吸着板と吸着部の吸着面との接合面、および連結部材が略一直線となり、該接合面を引き剥がす偶力は最少となって安定するため杖の引き起こし方向または引き寄せ方向は略起こし具の長軸方向が最良である。
【０００９】
起こし具の後端には起こし具を使用する際の落下防止として手首を差し込むストラップが取り付けられるが、該ストラップの替わりに、一端を起こし具の後端に取り付け他端を腰のベルト等に固定して使用するコイル状、紐状のストラップでもよく、杖を使用する時には常時ポケットやバッグ等に収納して携行する。
【００１０】
請求項２の発明は、起こし具の吸着部の先端に突起部を設けたことを特徴としており、該起こし具の吸着部の先端を倒れた杖の吸着板近傍に近づけた時、該吸着板は該吸着部の角と該突起部との間に橋渡しの状態で吸着されるが、該角と突起部の吸着面積は小さく従って吸着力が弱いため該起こし具を長軸方向に引き寄せた瞬間に杖の重量による偶力が連結部材を介して働き、該吸着板は回転して吸着面に吸着されその接合面は起こし具の長軸と平行になる。
もちろん吸着板が吸着面に直接吸着される場合も吸着板と吸着面との接合面は常に起こし具の長軸と平行になり前述段落０００８に述べたように該接合面は常に安定する。（図１０）
【００１１】
請求項3の発明は、起こし具先端の吸着部の吸着面と直角方向の厚みが1mm〜1.5mmの板状であることを特徴としており、該起こし具の吸着部の先端を倒れた杖の吸着板近傍に近づけた時、該吸着板が該吸着部の先端面即ち厚み方向に引き寄せられるが、該先端面の面積は小さく従って吸着力が弱いため、吸着面積が大きくしたがって吸着力の強い吸着面に吸い寄せられて吸着しその接合面は起こし具の長軸と平行となる。
もちろん吸着板が直接吸着面に吸着される場合も吸着板と吸着面との接合面は常に起こし具の長軸と平行になり、前述段落０００８に述べたように接合面は常に安定する。（図１１）
【００１２】
請求項4の発明は、請求項1または請求項2あるいは請求項3の杖起こし補助具と一体で構成されたことを特徴とする杖で、重量が略200g〜320g、長さが略600mm〜820mmの一般的な歩行者用の杖を対象にしている。
【発明の効果】
【００１３】
杖を必要とし、足や腰等に障害があり屈むことが困難な人たちが杖を手から離して倒してしまった時、屈むことなく該杖を手元に戻すことができる。
【００１４】
表面および裏面に永久磁石を有する吸着板９は、杖に撓み性のある連結部材を介して取り付けられているため、該杖が倒れた場合その時の吸着板の姿勢や向きにかかわらず該吸着板９の近傍に起こし具先端の吸着部１１a、１１bを近づけるだけで該吸着板は吸い寄せられて吸着するため、起こし具の位置決め操作は容易でかつ安全である。
【００１５】
後述の段落００２７から段落００３０に示すように、吸着板９と起こし具の吸着部１１a、１１bとの接合面 ２７は、倒れた杖の引き起こし方向、および連結部材５と略一直線になるため、該接合面２７を引き剥がす偶力は最少となり磁力の弱い磁石でも安定した吸着状態が得られ、確実に杖を引き起こすことができる。
【００１６】
本杖起こし補助具は杖以、外例えば手持ちの小物バッグを落としてしまった時に、屈まなくても拾い上げたいといった場合にも応用可能である。
【００１７】
起こし具４a、４bは、長さが可変で小サイズとなりポケットやバッグに収納でき携帯に便利である。
【図面の簡単な説明】
【００１８】
【図１】本発明の杖起こし補助具と該補助具を取り付けた杖の斜視図
【図２】吸着板の平面図
【図３】吸着板の正面図
【図４】縮めた状態の起こし具４a、４bの斜視図
【図５】引き延ばした状態の起こし具の斜視図
【図６】吸着部aの斜視図
【図７】吸着部bの斜視図
【図８】倒れた杖を起こし具により引き起こす際の動作説明図
【図９】倒れた杖を起こし具により引き起こす際の動作説明図
【図１０】吸着部aを有する起こし具４aを使用した時の吸着板の吸着状況説明図
【図１１】吸着部bを有する起こし具４bを使用した時の吸着板の吸着状況説明図
【発明を実施するための形態】
【実施例】
【００１９】
本実施例は下記の仕様による一実施例である。
・  杖本体２の重量は略300g
・  永久磁石８の外径は略13mm、磁束は１個当たり略1800ガウス
・  吸着部a １１aは磁性体で10mm幅の吸着面a １４を有する立方体。
・  吸着部a １１a先端の突起部１６のサイズは径略2mm突起高さ略3mm。
・  吸着部b １１ｂの先端面b １８の厚みは略1.2mm、吸着面b １７の幅は略13mm
【００２０】
図１は、杖本体２の長軸方向に移動可能でグリップ７aの近傍に取り付けた取り付け具６と、図2・図３に示す表面および裏面に永久磁石８を取り付けた吸着板９および該取り付け具６と該吸着板９を結合する撓み性のある連結部材５とからなる杖起こし部材３を取り付けた杖１と、起こし具４a、４bの斜視図である。
【００２１】
図４は縮めた状態の起こし具４a、４bの斜視図、図５は引き延ばした状態の該起こし具４a、４bの斜視図であり、伸縮部１０はいくつかのパイプ１０aが互いに差し込まれて形成されており長さが可変で、かつ長軸を中心として各パイプ１０aは回転が自由である。
また、起こし具a ４aの先端には図６に示す吸着部a １１aが、起こし具b ４bの先端には図７に示す吸着部b １１ｂを有し、それぞれの吸着面a １４、吸着面b １７が長軸と略平行であり、後端には本起こし具を使用する際の落下防止として手首を差し込むストラップ１２が取り付けられており、杖を使用する際には該杖起こし具を常時ポケットまたはバッグ等に収納して携行する。
【００２２】
図6は吸着部a １１aの斜視図であり、該吸着部は立方体で全側面には吸着面a １４が形成され、先端面a１５には突起部１６が形成されている。
【００２３】
図７は吸着部b １１bの斜視図で、先端面b １８の厚み寸法は前述の段落００１９に述べたように側面である吸着面b １７の幅寸法に比べて非常に小さな板状となっている。
【００２４】
次に杖起こし補助具による杖起こし動作を、起こし具a ４aを使用した場合について簡単に説明すると、図８において倒れた杖１に取り付けた杖起こし部材３を構成する吸着板９の近傍に、携行している起こし具４aを引き伸ばして先端の吸着部１１aを近づけると吸着板９は自身の姿勢や向きにかかわらず磁気力で該吸着部１１aに吸着されるため、図９に示すように起こし具４aを長軸方向である矢印１９方向に引き上げると杖１は先端の石突７bを支点に引き起こされる。起こし具b ４bを使用した場合も前記動作は同様である。
【００２５】
起こし具４a、４bの引き上げまたは引き寄せ方向は、該起こし具の長軸方向に行うことにより後述段落００２７から段落００３０に示すように接合面２７に無理が掛からず安定して杖起こしができる。
【００２６】
図１０は吸着部a １１aを先端に有する起こし具a ４aを使用した際の,また図１１は吸着部b １１bを先端に有する起こし具b ４bを使用した際の、杖起こし操作時の吸着板９の吸着状況についての詳細な説明図である。
【００２７】
図１０において、吸着板９が吸着部材a １１aに吸着する時の動きについて説明すると、まず丸１図のように吸着部a １１aを吸着板９の近傍に近づけて吸着させる際、該吸着部a １１aの先端面a １５に突起部１６が設けてあるため、丸２図のように吸着板９は該突起部１６と吸着部a １１aの角のみで吸着されるが吸着力は弱く、丸３図のように起こし具a ４aを長軸方向２３に引き上げた瞬間、杖本体２の重量による偶力が連結部材５を介して吸着板９に働き該吸着板９は矢印２２のように回転し吸着部a １１aの側面で吸着面積の大きな吸着面a １４に吸着される。
【００２８】
その結果丸２図に示すように起こし具a ４aの長軸方向２３に杖を引き起こす時、該長軸方向２３と、吸着板９と吸着部a １１aとの接合面 ２７、および連結部材５とが略一直線になるため、該接合面 ２７を引き剥がす偶力は最少となり安定した吸着状態が得られる。
【００２９】
図１１において、図１０と同様、丸１図のように起こし具b ４bの吸着部b １１ｂを吸着板９の近傍に近づけると丸２図のように該吸着板９は磁気力で該吸着部b １１ｂの先端面１８に引き寄せられるが吸着部ｂ １１bは前述したように板状で該先端面１８の面積が小さくしたがって吸着力が弱いため、吸着面積が大きく吸着力の強い吸着面ｂ１７に吸着される。
【００３０】
その結果起こし具a ４aのときと同様、丸３図に示すように起こし具b ４ｂの長軸方向２６に杖を引き起こす時該長軸方向２６と、吸着板９と吸着部b １１ｂとの接合面 ２７、および連結部材５とが略一直線になるため該接合面２７を引き剥がす偶力は最少となり安定した吸着状態が得られる。
【符号の説明】
【００３１】
１    杖
２    杖本体
３    杖起こし部材
４a   起こし具a
４b   起こし具b
５    連結部材
６    取り付け具
７a   グリップ
７b   石突
８    永久磁石
９    吸着板
１０  伸縮部
１０a パイプ
１１a 吸着部a
１１b 吸着部b
１２  ストラップ
１４  吸着面a
１５  先端面a
１６  突起部
１７  吸着面b
１８  先端面b
２７  接合面
【図１】
2018175527.tif 000003
【図２】
2018175527.tif 000004
【図３】
2018175527.tif 000005
【図４】
2018175527.tif 000006
【図５】
2018175527.tif 000007
【図６】
2018175527.tif 000008
【図７】
2018175527.tif 000009
【図８】
2018175527.tif 000010
【図９】
2018175527.tif 000011
【図１０】
2018175527.tif 000012
【図１１】
2018175527.tif 000013
【手続補正書】
【提出日】平成29年5月29日(2017.5.29)
【手続補正１】
【補正対象書類名】特許請求の範囲
【補正対象項目名】請求項３
【補正方法】変更
【補正の内容】
【請求項３】
杖本体に取り付けた取り付け具、表面および裏面に磁性体または永久磁石を有する吸着板、該吸着板を該取り付け具に連結する撓み性のある連結部材とからなる杖起こし部材と、前記吸着板を吸着する吸着面が長軸方向と平行であって、吸着面と直角方向の厚みが1mm〜1.5mmの板状である吸着部を先端に有した可変長の起こし具とからなることを特徴とする杖起こし補助具。
【手続補正２】
【補正対象書類名】特許請求の範囲
【補正対象項目名】請求項４
【補正方法】変更
【補正の内容】
【請求項４】
請求項１〜請求項３のいずれかに記載の杖起こし補助具とともに用いられる杖において、前記杖起こし部材が、杖本体と一体に構成されたことを特徴とする杖。